(57)【特許請求の範囲】
【請求項１】
商品を収納する商品収納庫から搬出扉を介して搬出された商品を取出す前面扉に形成される商品取出口と、この商品取出口の下端に第１ヒンジによって支持され、不用意な搬出扉の内側への手の差し入れを防止する上端が外向きに第１所定角度回動可能にして前記商品取出口の下側を開放し、かつ、閉成方向へ第１バネによって付勢される第１販売扉と、この第１販売扉の上端に第２ヒンジによって支持され、上端が外向きに第２所定角度回動可能にして前記商品取出口の上側を開放し、かつ、閉成方向へ第２バネによって付勢される第２販売扉と、この第２販売扉の上端が外向きに所定角度以上外力によって回動したとき前記第２販売扉に連動して前記第１販売扉の上端が外向きに回動すると共に、前記第１所定角度より前記第２所定角度を広く回動する機構とを備えたことを特徴とする自動販売機の商品取出装置。
【請求項２】
商品販売終了後に外向きに引かれた前記第２販売扉の上端が開放されたとき、前記第２バネによる付勢に抗して前記第２販売扉を緩やかに閉成方向へ移行させるダンパー機構を付加することを特徴とする請求項１記載の自動販売機の商品取出装置。
【発明の詳細な説明】
【０００１】
【発明の属する技術分野】
本発明は、缶入り飲料などの転動商品を販売する際に商品取出口を開閉する販売扉を有する自動販売機の商品取出装置に関する。
【０００２】
【従来の技術】
例えば、缶入り飲料等の商品を販売する自動販売機では、図８に示すように前面扉２の前面板体３に形成する商品取出口４に上端にヒンジ６により支持させる販売扉５Ａが自重で商品取出口４を閉成し、内側に箱体をなす底部に商品Ｂを載置する受台４０を設ける一方、断熱扉４１に搬出扉３７を設けている。
【０００３】
販売指令があると、図示しない商品搬出機構が動作して搬出され落下してシュート３９を転倒した商品Ｂが自重で搬出扉３７を開いて受台４０へ送り出される。顧客は、販売扉５Ａの下方を持って外方へ引き、内側へ手を差し込み受台４０の商品Ｂを得ることができる。
【０００４】
【発明が解決しようとする課題】
ところで、自動販売機は設置場所等から奥行寸法が年々薄型化の傾向にあって、商品取出装置の取出口が狭く、商品が取出しにくいという声がしばしば聞かれる。
【０００５】
図８に示す販売扉５Ａの下端を外方向へ開く、いわゆる下開きの場合、比較的商品Ｂを取出し易いが、一方の片手で販売扉５Ａを持って開け、他方の片手で商品Ｂを取出さなければならないという難点がある。
【０００６】
また、販売扉の上端を外方向へ開く、いわゆる上開きの場合、片手で販売扉を開けてその片手で商品を取出せるが、奥行寸法の狭い販売口では、商品の取出しが容易でなく、必要以上に販売扉を広く開くようにすると、搬出扉の内側へ手が差し込まれ、盗難のおそれがある。
【０００７】
そこで、本発明は、商品の取出しが容易で、かつ、盗難防止等が図れる自動販売機の商品取出装置を提供することを目的とする。
【０００８】
【課題を解決するための手段】
請求項１の発明は、商品を収納する商品収納庫から搬出扉を介して搬出された商品を取出す前面扉に形成される商品取出口と、この商品取出口の下端に第１ヒンジによって支持され、不用意な搬出扉の内側への手の差し入れを防止する上端が外向きに第１所定角度回動可能にして商品取出口の下側を開放し、かつ、閉成方向へ第１バネによって付勢される第１販売扉と、この第１販売扉の上端に第２ヒンジによって支持され、上端が外向きに第２所定角度回動可能にして商品取出口の上側を開放し、かつ、閉成方向へ第２バネによって付勢される第２販売扉と、この第２販売扉の上端が外向きに所定角度以上外力によって回動したとき第２販売扉に連動して第１販売扉の上端が外向きに回動すると共に第１所定角度より第２所定角度を広く回動する機構とを備え、第２販売扉を外方へ開いたとき、商品を取出す広い取出し通路を形成する一方、外側から搬出扉方向に対する隙間を狭めて形成するようにしたものである。この手段によれば、商品を取出すとき上側の第２販売扉の上端が外向きに引かれ所定角度以上回動し、さらに、外向きに第２販売扉が引かれると、第１販売扉の上端が第１所定角度まで回動される。この場合、第２所定角度によって、商品取出口の前面に広い取出し通路が形成され、容易に商品を取出すに必要充分な広いものとする一方、第１所定角度によって、搬出扉に対する方向の隙間が狭く、不用意に商品収納庫へ手が届かないように構成される。従って、第１販売扉の第１所定角度と第２販売扉の第２所定角度とを適宜設定し容易に商品を取出せる一方、盗難の防止が図れる。
【０００９】
請求項２の発明は、請求項１記載の自動販売機の商品取出装置において、商品販売終了後に外向きに引かれた第２販売扉の上端が開放されたとき、第２バネによる付勢に抗して第２販売扉を緩やかに閉成方向へ移行させるダンパー機構を付加するようにしたものである。この手段によれば、商品が取出されて第２販売扉の上端が開放されたとき、ダンパー機構によって緩やかに第２販売扉が閉成方向に移行して商品取出口を閉める。従って、第２バネの付勢によって早いスピードで閉じられることを防止し、第２販売扉が受側に当接して騒音を発することが回避できる。
【００１０】
【発明の実施の形態】
以下、本発明の実施の形態を図面を参照して説明する。
【００１１】
図１は、本発明の実施の形態を示す自動販売機の外観図であって、自動販売機本体１の前面に図示しないヒンジに開閉可能として取付けられる前面扉２が取付けられ、前面扉２には、前面板体３の下部に商品取出口４が形成され、後述する販売扉５が取付けられている。そして、前面扉２の上方には前面透明パネル７で覆われる商品陳列室８が形成され、商品陳列室８には商品見本Ａが載置され、商品陳列室８の前面に商品選択ボタン９が設けられ、商品陳列室８の右下方の接客部１０に紙幣投入部１１や表示器１２や硬貨投入口１３等が配設されている。さらに、接客部１０の下方に硬貨返却口１４が形成されている。
【００１２】
図２は、本発明の要部である商品取出装置の正面図、図３および図４は、同縦断面図を示し、商品取出装置は商品取出口４の開口に本体ケース１５が嵌め込まれ、上側取付板１６と下側取付板１７とが前面板体３に取付部材によって取付けられている。商品取出口４を覆う販売扉５は、下側の第１販売扉２１と上側の第２販売扉２０とによって構成されている。
【００１３】
ここで、第１販売扉２１は、下端が本体ケース１５に設ける第１ヒンジ２２によって下端を支点にして上端外方向へ回動可能とし、第１販売扉２１が開動作したとき後述するストッパー３３が商品取出口４の上端側４ｂに当接して係止可能としている。
【００１４】
そして、第１販売扉２１の上端には、第１販売扉２１に設ける第２ヒンジ２４によって第１販売扉２１に対して回動可能となるように第２販売扉２０が取付けられ、この第２販売扉２０は、第２ヒンジ２４の両端に設ける第２バネ２５によって商品取出口４を閉成する方向へ付勢し、さらに、第１販売扉２１の左端にはダンパーケーシング２７に収納されるダンパー機構２８が設けられている。
【００１５】
ダンパー機構２８は、第１販売扉２１に固定される基板２９に設ける軸受に軸支され、第２ヒンジ２４に直結する第１ギヤー３０とこの第１ギヤー３０に連動し基板２９に軸支される第２ギヤー３１と基板２９に固定される後述するダンパー３２とから構成され、ダンパーケーシング２７の上端には、ストッパー３３が設けられ、所定角度、第１販売扉２１が開いたとき、前述したように、ストッパー３３が商品取出口４の上端側４ｂに当接して係止されるようになっている（図４）。
【００１６】
また、第２販売扉２０の上端には、図５に示すように、第２販売扉２０を外方向へ引き商品取出口４を開くリング状の把手２０ａが設けられ、この把手２０ａに対向する本体ケース１５側の位置にストッパー３４を有している。一方、図５に示すように、第２販売扉２０の内側には、ヒンジ３６によって商品搬出口３５を開閉する搬出扉３７が設けられ、搬出扉３７の下側にシュート３９を転倒してきた商品Ｂが自重で搬出扉３７を開けて載置される受台４０が形成されている。なお、３８は、第２販売扉２０を補強する補強部材を示している。
【００１７】
次に、本発明の実施の形態の作用を図５乃至図７を参照して説明する。
【００１８】
まず、商品を販売する待機時には、販売扉５を形成する第２販売扉２０の下端の第２ヒンジ２４が第２バネ２５によって商品取出口４の開口を閉じる閉成方向へ付勢され、図５に示すように、第２販売扉２０の上端がストッパー３４に当接して商品取出口４を閉じる一方、第２販売扉２０の下側に配置される第１販売扉２１の下端の第１ヒンジ２２が第１バネ２３によって商品取出口４の下側の開口を閉じる閉成方向へ付勢され、商品取出口４の下部を閉じている。この状態のとき販売指令に基づき図示しない商品搬出機構が動作して商品Ｂが搬出されるとシュート３９を商品Ｂが転倒して搬出扉３７を自重で開けて商品Ｂが受台４０上に載置される。
【００１９】
次に、顧客が第２販売扉２０の上端の把手２０ａに手を掛けて外方へ引くと、図６に示すように、第２販売扉２０が第２ヒンジ２４を支点として第２バネ２５の付勢に抗して図示矢印方向へ所定角度αだけ開くが、商品Ｂの上側の間隔の寸法ａが維持されている。このとき、ダンパー機構２８の第１ギヤー３０が図６に示す矢印方向へ回転し連動する第２ギヤー３１が図示矢印方向へ回転し、ダンパー３２が回転し、このダンパー３２の回転方向のときダンパー機能が働かず第１ギヤー３０に連動する。さらに、この場合に、第２バネ２５の付勢力に対して第１販売扉２１に設ける第１バネ２３の付勢力の方が強力に構成され、第１バネ２３の付勢によって第１販売扉２１が商品取出口４側に密着している。
【００２０】
次に、把手２０ａによって、さらに、外方へ引く力によって所定角度α以上、第２販売扉２０が開成されると、第２バネ２５の付勢力に抗して第１販売扉２１に力が働き第１バネ２３への付勢に抗して徐々に第１販売扉２１が開く。そして、図４で説明したように第１販売扉２１に設けるストッパー３３が商品取出口４の上端側４ｂに当接して係止され、この状態のとき、第１販売扉２１は、既に図７に示すと同様に第１所定角度γとなっている。
【００２１】
その後、把手２０ａへの力が外方へ加わると、第１販売扉２１が第１所定角度γを維持しつつ、第２販売扉２０が、図７に示すように、第２バネ２５の付勢に抗して開かれ、図示所定角度βの状態となって、さらに、外力が加わると、第２販売扉２０は、最終的にその前面が第１販売扉２１に設けるストッパー２６に当接して、第２所定角度となって第２販売扉２０の開動作が係止される。この過程のとき斜め外上方向から下方の受台４０に載置される商品Ｂに対して広い取出し通路（図示間隔ｂ）が形成される一方、外側から搬出扉３７への水平方向の第１販売扉２１の第１所定角度γによって狭められる。顧客が第２販売扉２０の上側をヒジ等で押さえつつ、手を入れて受台４０上の商品Ｂを把持して外方へ取出す。
【００２２】
商品Ｂが取出され、第２販売扉２０の把手２０ａが開放されると、まず、第１販売扉２１が閉成方向へ動作される。その後、続いて、第２販売扉２０が閉成方向へ第２バネ２５による付勢によって第２ヒンジ２４を支点として動作し、この第２ヒンジ２４に連動して第１ギヤー３０と第２ギヤー３１とが逆回転し、ダンパー３２が逆方向へ回転する。このとき、ダンパー３２の油緩衝機能が働き、穏やかにダンパー３２が回転し、これによって、第２バネ２５の付勢に対してダンパー３２がブレーキをかけて第２販売扉２０が穏やかに閉成方向へ動作される。
【００２３】
このように本発明の実施の形態によれば、商品取出口４の下端に設ける第１ヒンジ２２によって支持され上端が外向きに第１所定角度回動可能にして商品取出口４の下側を開放し、かつ、閉成方向へ第１バネ２３によって付勢される下側の第１販売扉２１と、この第１販売扉２１の上端に第２ヒンジ２４によって支持され、上端が外向きに第１所定角度より大きい第２所定角度回動可能にして商品取出口４の上側を開放しつつ、かつ、閉成方向へ第２バネ２５によって付勢される第２販売扉２０とし、待機時には、第１販売扉２１と第２販売扉２０とが第１バネ２３と第２バネ２５の付勢によって商品販売口４を閉成している。
【００２４】
販売指令がされると、商品Ｂが搬出機構により搬出されシュート３９を転倒し搬出扉３７を商品の自重で開放して商品が受台４０上へ載置される。顧客が第２販売扉２０の上端を把手２０ａを持って外方へ引くと、第２販売扉２０が回動し第２販売扉２０が所定角度以上となると、第１販売扉２１も連動して上端が外方向へ回動し、さらに、外方向へ引くと第１販売扉２１が第１所定角度となり第２販売扉２０が第２所定角度まで開かれる。この場合に、第２所定角度の第２販売扉２０によって外から手を入れ下方の商品を取出すに充分広い取出通路が形成される一方、第２所定角度より小さい第１所定角度によって外側から水平の搬出扉３７方向に対する通路が狭く形成される。
【００２５】
この結果、顧客が第２販売扉２０を片手で押さえつつ内部へ片手を入れ受台４０上の商品を容易に取出し片手を離すと、第１販売扉２１が先に閉じ、続いて第２販売扉２０が閉じる。一方、悪戯や盗難目的で第２販売扉２０を外方へ引いても第１販売扉２１が第１所定角度までしか開放しないので、外側から手を水平に入れ搬出扉３７を手前に引いて開け搬出扉３７のさらに奥まで入れようとしても肘等が第１販売扉２１の上端に当たり、腕全体が商品搬出口３５へ挿入することができず、商品収納庫まで手先が届かない。従って、商品収納庫内が悪戯されたり、盗難に合うおそれが回避される。
【００２６】
また、本発明の実施の形態によれば、ストッパーを設けているので、第１販売扉２１と第２販売扉２０とがそれぞれ第１所定角度、第２所定角度へ確実にストップさせることができ、さらに、ダンパーを設けているので第２販売扉２０を外方へ引いて開放して離しても緩やかに戻り第２販売扉２０が受側に当接して大きな音を発することが防止できる。
【００２７】
【発明の効果】
以上説明したように請求項１の発明によれば、第２販売扉の第２所定角度によって商品取出口の前面に広い取出し通路が形成され、第１販売扉の第１所定角度によって搬出扉に対する方向の隙間を狭くするので、容易に商品を取出すことができ、かつ、不用意に商品収納庫へ手先を届けることができず、盗難等の防止が図れる。
【００２８】
請求項２の発明によれば、商品が取出されて第２販売扉の上端が開放されたとき、ダンパー機構によって緩やかに第２販売扉が閉成方向に移行して商品取出口を閉める。従って、第２バネの付勢によって早いスピードで閉じられることがなく、第２販売扉が受側に当接して騒音を発することが回避できる。
【図面の簡単な説明】
【図１】本発明の実施の形態を適用する自動販売機を示す斜視図。
【図２】図１の自動販売機に備える商品取出装置の正面図。
【図３】図２の商品取出装置の要部を示す部分縦断面図。
【図４】図３の商品取出装置の第２販売扉が開動作した状態を示す部分縦断面図。
【図５】商品取出装置の第１動作を示す説明図。
【図６】商品取出装置の第２動作を示す説明図。
【図７】商品取出装置の第３動作を示す説明図。
【図８】従来の商品取出装置を示す縦断面図。
【符号の説明】
１５  本体ケース
１６  上側取付板
１７  下側取付板
２０  第２販売扉
２１  第１販売扉
２２  第１ヒンジ
２３  第１バネ
２４  第２ヒンジ
２５  第２バネ
２６，３３，３４，３８  ストッパー
２７  ダンパーケーシング
２８  ダンパー機構
２９  基板
３０  第１ギヤー
３１  第２ギヤー
３２  ダンパー
３５  商品搬出口
３６  ヒンジ
３７  搬出扉
３９  シュート
４０  受台
【図１】
0003661043.tif 000002
【図２】
0003661043.tif 000003
【図３】
0003661043.tif 000004
【図４】
0003661043.tif 000005
【図５】
0003661043.tif 000006
【図６】
0003661043.tif 000007
【図７】
0003661043.tif 000008
【図８】
0003661043.tif 000009